(57)【要約】【課題】本発明は、異径線対応コネクタに関し、ケーブルをコネクタにピアシングタイプで接続する場合に、異径線であっても一つのコネクタによって接続対応させるようにすることが課題である。【解決手段】ピアシング用のコンタクトを併設するコネクタハウジング２と、前記コネクタハウジングの収納凹部に嵌合されて収納されると共に整列されたケーブルを押圧部に当接させてそのまま前記コンタクトに該ケーブルを押しつけて当該コンタクトの一部が前記ケーブルの被覆を突き刺し心線に当接することで電気的接続させる加圧カバー３とでなり、前記押圧部３ａ，３ｂが、加圧カバー３に上下２段で開口部を外側に向け背向して併設され、且つ、上段と下段との押圧対象ケーブル径が異なっている異径線対応コネクタ１とする。【選択図】図１
2005317425.tif 000002
【特許請求の範囲】
【請求項１】
ピアシング用のコンタクトを併設するコネクタハウジングと、
前記コネクタハウジングの収納凹部に嵌合されて収納されると共に整列されたケーブルを押圧部に当接させてそのまま前記コンタクトに該ケーブルを押しつけて当該コンタクトの一部が前記ケーブルの被覆を突き刺し心線に当接することで電気的接続させる加圧カバーとでなり、
前記押圧部が、加圧カバーに上下２段で開口部を外側に向け背向して併設され、且つ、上段と下段との押圧対象ケーブル径が異なっていること、
を特徴とする異径線対応コネクタ。
【請求項２】
加圧カバーは、コネクタハウジングの収納凹部におけるコンタクトの上に整列されたケーブルを当該コネクタハウジングに仮止めする仮止めカバーと、該仮止めカバーの嵌合部に嵌合されて前記ケーブルを押圧する押圧部を備えた本締めカバーとでなること、
を特徴とする請求項１に記載の異径線対応コネクタ。
【発明の詳細な説明】
【技術分野】
【０００１】
本発明は、例えば、被覆された線材を複数本コネクタのコンタクトに接続する際に、押圧力によりコンタクトで前記被覆を突き刺すことで電気的接続を図るようにしたコネクタであって、前記線材の線径が異なるものにも対応できるようにした異径線対応コネクタに関するものである。
【背景技術】
【０００２】
従来、例えば、コネクタに線材を圧接することで電気的接続を図るものとして、主に、ワイヤハーネスのアッセンブリにおいて、適用されるものが知られている（特許文献１，２参照）。
【特許文献１】特開２００３−３２３８１９号公報
【特許文献２】特開２００３−１１２５８４号公報
【０００３】
しかし、ワイヤハーネスではなく、通常の線材を束ねてピンコンタクトで該線材の被覆に突き刺して心線に当接し、コネクタに電気的に接続するピアシング（piercing）タイプのコネクタがある。この場合、一つのコネクタには１種類の線径の線材しか接続することができないものである。
【発明の開示】
【発明が解決しようとする課題】
【０００４】
従って、一つのコネクタに１種類の線材を接続するだけであって、ケーブル番線の使用範囲が狭いという課題があり、更に、ケーブルの番線毎に専用のコネクタを用意しなければならないので、部品管理に手間が掛かることになるという課題がある。
【課題を解決するための手段】
【０００５】
本発明に係る異径線対応コネクタの要旨は、  ピアシング用のコンタクトを併設するコネクタハウジングと、前記コネクタハウジングの収納凹部に嵌合されて収納されると共に整列されたケーブルを押圧部に当接させてそのまま前記コンタクトに該ケーブルを押しつけて当該コンタクトの一部が前記ケーブルの被覆を突き刺し心線に当接することで電気的接続させる加圧カバーとでなり、前記押圧部が、加圧カバーに上下２段で開口部を外側に向け背向して併設され、且つ、上段と下段との押圧対象ケーブル径が異なっていることである。
更に、前記加圧カバーは、コネクタハウジングの収納凹部におけるコンタクトの上に整列されたケーブルを当該コネクタハウジングに仮止めする仮止めカバーと、該仮止めカバーの嵌合部に嵌合されて前記ケーブルを押圧する押圧部を備えた本締めカバーとでなることを含むものである。
【発明の効果】
【０００６】
本発明の異径線対応コネクタは、上記のようにケーブルをコンタクトにピアシングタイプで接続させる加圧カバーが、上下２段で開口部を外側に向け背向して押圧部が併設され、且つ、上段と下段との押圧対象ケーブル径が異なっているので、異なる２種類の線径に対して電気的接続を図ることができる。よって、一つのコネクタで２種類のケーブルを適宜に接続可能となる。こうして、ケーブル番線の使用範囲が広がることになって、コネクタの部品点数が減少して部品管理も容易となる。
更に、加圧カバーは、コネクタハウジングの収納凹部におけるコンタクトの上に整列されたケーブルを当該コネクタハウジングに仮止めする仮止めカバーと、該仮止めカバーの嵌合部に嵌合されて前記ケーブルを押圧する押圧部を備えた本締めカバーとでなるようにすることで、ケーブルの仮止めが可能となり、接続作業が更に容易となるものである。
【発明を実施するための最良の形態】
【０００７】
本発明に係る異径線対応コネクタ１は、図１乃至図２に示すように、ピアシング用のコンタクト４を併設する合成樹脂製のコネクタハウジング２と、前記コネクタハウジング２の収納凹部２ａに嵌合されて収納されると共に整列されたケーブル５（図７乃至図８参照）を押圧部３ａに当接させてそのまま前記コンタクト４に該ケーブル５を押しつけて当該コンタクト４の一部４ａが前記ケーブル５の被覆５ｂを突き刺し心線５ｃに当接することで電気的接続させる合成樹脂製の加圧カバー３とでなる。
【０００８】
前記コネクタハウジング２は、図３（Ａ），（Ｂ）に示すように、上方と前方とに大きく開口させてある収納凹部２ａには、左右の側壁に断面矩形状の係止突起２ｂ，２ｃが設けられている。これは、この収納凹部２ａに嵌合装着された前記加圧カバー３の上方向への抜け止めのために設けられるものである。
【０００９】
また、前記コネクタハウジング２の後壁２ｄには、コンタクト４の接続用の後端部４ｂを前方向から圧入して保持させるための矩形状の支持孔２ｅが、例えば、この実施例では左右方向に等ピッチで４カ所に設けられている。
【００１０】
前記コンタクト４は、図４に示すように、前記一部４ａが上下方向に起立していて、ピアシング部４ａとなっていて、前端部には、Ｕ字型の保持部４ｃが上下方向に起立されて形成されている。この保持部４ｃは、左右方向に沿って形成されていて、前後方向に沿って形成されている前記ピアシング部４ａとは直交した状態になっている。この保持部４ｃでは、ケーブル５の心線５ｃの周囲の被覆部５ｂを破いて貫き、当該ケーブル５の前後方向の移動を阻止するようになっている。
【００１１】
前記加圧カバー３は、図５乃至図６に示すように、ケーブル５を収納凹部２ａのコンタクト４に押しつけてピアシング部４ａと心線５ｃとの電気的接続を図る合成樹脂製のカバーである。
【００１２】
そして、整列されたケーブル５に当接する導入部とそれに続く半円形凹状とでなる押圧部３ａ，３ｂが、加圧カバー３に上下２段で開口部３ｃ，３ｄを外側に向け背向して併設され、且つ、上段と下段との押圧対象ケーブル径が、例えば、φ１．２ｍｍ用とこれより大きいφ１．６ｍｍ用とになっていて、異なっている。これにより、一つの加圧カバー３で、２種類の線径のケーブル５を接続することが可能となる。前記開口部３ｃ，３ｄの近傍には、ケーブル被覆部に食い込む突起３ｇが形成されている。
【００１３】
この押圧部３ａ，３ｂの前後方向の途中に、コンタクト４の保持部４ｃが挿入される矩形孔３ｅが設けられている。また、後端部側に上下方向からのケーブル端部確認用の確認窓３ｆが、それぞれに設けられている。
【００１４】
さらに、図５（Ａ），（Ｂ）に示すように、左右の側壁の上部と下部とに、係止片３ｈ，３ｉが設けられている。これは、前記係止突起２ｂ，２ｃに係合して、この加圧カバー３の上下方向への抜け止めとなるものである。
【００１５】
このようにしてなる本発明に係る異径線対応コネクタ１を使用してケーブル５を接続すると、図７に示すように、例えば、線径φ１．６ｍｍの４本のケーブル５ａを整列させて、加圧カバー３で上から下へと収納凹部２ａに押し込む。
【００１６】
治具等を使用して、太径用の押圧部３ｂでケーブル５ａを下に押し込むと、コンタクト４のピアシング部４ａがケーブル５ａの被覆部５ｂを突き刺して心線５ｃに至り電気的接続がなされる。また、Ｕ字型保持部４ｃでは、両腕部がケーブル５ａの被覆部５ｂに突き刺さってケーブル５の前後方向への移動を阻止するようになる。また、確認窓３ｆにより、ケーブル５ａの端部が加圧カバー３の後壁面に突き当たっているかどうかの確認ができる。
【００１７】
一方、線径φ１．２ｍｍの細径のケーブル５ｄの場合には、図８に示すように、前記加圧カバー３を上下逆にして、細径用の押圧部３ａを下に向けてケーブル５ｄをコンタクト４に向けて治具等で押し込むものである。このようにして、前記加圧カバー３をケーブル５の線径に応じて押圧部３ａ，３ｂを適宜に上下逆にして使用することで、異径線に対応するコネクタ１となるものである。
【００１８】
次に、本発明の第２実施例として、コネクタハウジング２の収納凹部２ａにコンタクト４と平行にして整列されたケーブル５を、仮止めカバーにより一旦仮止めにしてから、コンタクト４に押し込むようにする異径線対応コネクタ１ａである。
【００１９】
図９乃至図１０に示すように、異径線対応コネクタ１ａは、前記加圧カバー３に対応するものを２部品に分割して行うものであり、加圧カバー６は、図１１に示すコネクタハウジング２の収納凹部２ａにおけるコンタクト４の上に整列されたケーブル５を、当該コネクタハウジング２に仮止めする仮止めカバー７と、該仮止めカバー７の嵌合部７ａに嵌合されて前記ケーブル５を押圧する押圧部８ｂ，８ｃを備えた本締めカバー８とでなる。
【００２０】
図１２に示すように、前記仮止めカバー７の下部には、整列されたケーブル５に当接する、ラッパ状の導入部と半円形状の凹部とでなる仮止め部７ｂが設けられている。また、コンタクト４の保持部が進入する孔７ｃと、ケーブル５の端部挿入を確認する確認窓７ｄが設けられ、側壁部にはコネクタハウジング２の係止部２ｆに係止する係止片７ｅ等が設けられている。
【００２１】
図１３に示すように、本締めカバー８には、側壁に係止片８ａが設けられ、左右方向には異径線に対応する上下２段の押圧部８ｂ，８ｃが設けられている。なお、コンタクト４は、前記第１実施例と同じである。
【００２２】
この使用方法は、例えば、４本のケーブル５を前記仮止めカバー７の仮止め部７ｂに当接させて、凹部に押し込みあらかじめ整列させる。その状態のケーブル５と仮止めカバー７とを、前記コネクタハウジング２に載置する。
【００２３】
そして、治具により図１３に示す前記本締めカバー８を、前記仮止めカバー７の嵌合部７ａに上から嵌合させて、前記整列されたケーブル５を下に押し込み、コンタクト４のピアシング部４ａでケーブル心線に電気的に接続属させ、保持部４ｃでケーブル５の被覆部５ｂに差し込んで前後方向の移動を阻止させる。
【００２４】
このようにすることで、異径線対応コネクタ１ａにより、複数本のケーブル５を仮止めカバー７で整列させて仮止めするので、ピアシング作業がしやすくなって、作業能率が向上するものである。
【図面の簡単な説明】
【００２５】
【図１】本発明に係る異径線対応コネクタ１の平面図（Ａ）、正面図（Ｂ）、側面図（Ｃ）である。
【図２】同図１におけるＡ−Ａ線に沿った断面図（Ａ）、同図Ｂ−Ｂ線に沿った断面図（Ｂ）である。
【図３】異径線対応コネクタ１におけるコネクタハウジング２の断面図（Ａ）、正面図（Ｂ）である。
【図４】同異径線対応コネクタ１におけるコンタクト４の平面図（Ａ）、正面図（Ｂ）、側面図（Ｃ）である。
【図５】同異径線対応コネクタ１における加圧カバー３の平面図（Ａ）、側面図（Ｂ）、正面図（Ｃ）である。
【図６】図５（Ａ）におけるＣ−Ｃ線に沿った断面図（Ａ）と、それを上下逆さまにした状態の断面図（Ｂ）である。
【図７】同異径線対応コネクタ１に、太径のケーブル５ａを接続した状態の断面図（Ａ）、同図Ｄ−Ｄ線に沿った断面図（Ｂ）、同図Ｅ−Ｅ線に沿った断面図（Ｃ）である。
【図８】同異径線対応コネクタ１に、細径のケーブル５ｄを接続した状態の断面図（Ａ）、同図Ｆ−Ｆ線に沿った断面図（Ｂ）、同図Ｇ−Ｇ線に沿った断面図（Ｃ）である。
【図９】本発明の第２実施例に係る異径線対応コネクタ１ａの分解斜視図である。
【図１０】同異径線対応コネクタ１ａの分解正面図（Ａ）と、同図Ｈ−Ｈ線に沿った断面図（Ｂ）である。
【図１１】同異径線対応コネクタ１ａにおけるコネクタンハウジング２の平面図（Ａ）と、正面図（Ｂ）とである。
【図１２】同異径線対応コネクタ１ａにおける、仮止めカバー７の平面図（Ａ）、正面図（Ｂ）、同図Ｊ−Ｊ線に沿った断面図（Ｃ）である。
【図１３】同異径線対応コネクタ１ａにおける、本締めカバー８の正面図（Ａ）、側面図（Ｂ）、背面図（Ｃ）、平面図（Ｄ）、同図Ｋ−Ｋ線に沿った断面図（Ｅ）である。
【符号の説明】
【００２６】
１          異径線対応コネクタ、  １ａ        第２実施例の異径線対応コネクタ、
２          コネクタハウジング、  ２ａ        収納凹部、
２ｂ，２ｃ  係止突起、            ２ｄ        後壁、
２ｅ        支持孔、
３          加圧カバー、            
３ａ，３ｂ  押圧部、              ３ｃ，３ｄ  開口部、
３ｅ        矩形孔、              ３ｆ        確認窓、
３ｇ        突起、                ３ｈ，３ｉ  係止片、
４          コンタクト、          ４ａ        ピアシング部、
４ｂ        後端部、              ４ｃ        保持部、
５          ケーブル、            ５ａ        太径のケーブル、  
５ｂ        被覆、                ５ｃ        心線、
５ｄ        細径のケーブル、        
６          加圧カバー、
７          仮止めカバー、        ７ａ        嵌合部、
７ｂ        仮止め部、            ７ｃ        孔、
７ｄ        確認窓、              ７ｅ        係止片、
８          本締めカバー 、       ８ａ        係止片、  
８ｂ，８ｃ  押圧部。
【図１】
2005317425.tif 000003
【図２】
2005317425.tif 000004
【図３】
2005317425.tif 000005
【図４】
2005317425.tif 000006
【図５】
2005317425.tif 000007
【図６】
2005317425.tif 000008
【図７】
2005317425.tif 000009
【図８】
2005317425.tif 000010
【図９】
2005317425.tif 000011
【図１０】
2005317425.tif 000012
【図１１】
2005317425.tif 000013
【図１２】
2005317425.tif 000014
【図１３】
2005317425.tif 000015